(57)【要約】【課題】コンタクトを損傷させる心配の無いカード用コネクタを提供する。【解決手段】コネクタ１０は、第１ハウジング１と第１カバー板２を備える。又、コネクタ１０は、第１コンタクト３と第２コンタクト４を備える。複数の第２コンタクト４を傾倒自在な絶縁バー４ｂを一組の板ばね４ａ・４ａの先端部に架橋し、第１溝部Ｄ１を端部に有する第１カードＣ１を第１ハウジング１の凹部１１に挿入すると、第１溝部Ｄ１の段差が絶縁バー４ｂに当接して複数の第２コンタクト４を傾倒させて、第２コンタクト４が第１カードＣ１に接触することを困難とするので、第２コンタクト４を損傷させる心配を無くすことができる。【選択図】図２
2016115663.tif 000002
【特許請求の範囲】
【請求項１】
一方の端部の底面から窪んだ第１溝部の底面に複数の第１接続端子を配置した矩形の第１カードと、前記第１カードと外形寸法及び厚さが同じであり、一方の端部の底面から窪んだ第２溝部の底面に複数の前記第１接続端子及び複数の第２接続端子を配置した矩形の第２カードと、を共用できるカード用コネクタであって、
前記第１カード又は前記第２カードを挿入自在な凹部を有する板状の第１ハウジングと、
前記第１ハウジングの凹部を覆う第１カバー板と、
前記第１ハウジングの凹部の奥側に配置され、前記第１接続端子に接触できる複数の第１コンタクトと、
前記第１ハウジングの凹部の開口側に配置され、前記第２接続端子に接触できる複数の第２コンタクトと、を備え、
前記第２接続端子は、
複数の対をなす信号端子と、
前記対をなす信号端子の両側に配置されるグラウンド端子と、を含み、
前記第２コンタクトは、
前記対をなす信号端子に接触自在な第１信号コンタクトと、
前記グラウンド端子に接触自在な第１グラウンドコンタクトと、
前記第１グラウンドコンタクトが前記グラウンド端子に向かう方向と同じ方向に延在する一対の板ばねと、
一対の前記板ばねの先端部を架橋し、対をなす前記第１信号コンタクト及び前記第１グラウンドコンタクトを傾倒自在な絶縁バーと、を含み、
前記第１カードを前記第１ハウジングの凹部に挿入すると、前記第１カードの底面が前記絶縁バーに当接して複数の前記第２コンタクトを傾倒させ、
前記第２カードを前記第１ハウジングの凹部に挿入すると、前記絶縁バーが前記第２溝部の底面に当接することなく通過し、前記絶縁バーが複数の前記第２コンタクトを傾倒させることなく、前記第２コンタクトが前記第２接続端子に接触する、カード用コネクタ。
【請求項２】
複数の前記第２コンタクトは、展開板を成形した導電性を有する金属板からなり、この金属板の中央部をモールドして前記第１ハウジングを成形すると共に、前記第１信号コンタクト、前記第１グラウンドコンタクト、及び前記板ばねを個別に分離している、請求項１記載のカード用コネクタ。
【請求項３】
前記絶縁バーの両端部は、前記対をなす第１信号コンタクトの両側に配置された前記板ばねの先端部をモールドしている、請求項１又は２記載のカード用コネクタ。
【請求項４】
一対の前記板ばねは、前記絶縁バーを成形した後に、対をなす前記第１信号コンタクトに向かって折り曲げられる請求項１から３のいずれかに記載のカード用コネクタ。
【請求項５】
一方の端部の底面から窪んだ第１溝部の底面に複数の第１接続端子を配置した矩形の第１カードと、前記第１カードと外形寸法及び厚さが同じであり、一方の端部の底面から窪んだ第２溝部の底面に複数の前記第１接続端子及び複数の第２接続端子を配置した矩形の第２カードと、を共用できるカード用コネクタであって、
前記第１カード又は前記第２カードを挿入自在な凹部を有する板状の第２ハウジングと、
前記第２ハウジングの凹部を覆う第２カバー板と、
前記第２ハウジングの凹部の奥側に配置され、前記第１接続端子に接触できる複数の第３コンタクトと、
前記第２ハウジングの凹部の開口側に配置され、前記第２接続端子に接触できる複数の第４コンタクトと、を備え、
前記第２接続端子は、
複数の対をなす信号端子と、
前記対をなす信号端子の両側に配置されるグラウンド端子と、を含み、
前記第４コンタクトは、
前記対をなす信号端子に接触自在な第２信号コンタクトと、
前記グラウンド端子に接触自在な第２グラウンドコンタクトと、
前記第１溝部又は前記第２溝部を通過自在に配置されると共に、前記第２信号コンタクト及び前記第２グラウンドコンタクトの中間部に成形し、前記第２信号コンタクト及び前記第２グラウンドコンタクトを傾倒自在な絶縁ブロックと、を含み、
前記第１カードを前記第２ハウジングの凹部に挿入すると、前記第１カードの底面が前記絶縁ブロックに当接して複数の前記第４コンタクトを傾倒させ、
前記第２カードを前記第２ハウジングの凹部に挿入すると、前記絶縁ブロックが前記第２溝部の底面に当接することなく通過し、前記絶縁ブロックが複数の前記第４コンタクトを傾倒させることなく、前記第４コンタクトが前記第２接続端子に接触する、カード用コネクタ。
【請求項６】
複数の前記第４コンタクトは、展開板を成形した導電性を有する金属板からなり、この金属板の中央部をモールドして前記第２ハウジングを成形すると共に、前記第２信号コンタクト、及び前記第２グラウンドコンタクトを個別に分離している、請求項５記載のカード用コネクタ。
【請求項７】
前記第１カードは、ＵＨＳ−Ｉ対応ＳＤメモリカードを含み、
前記第２カードは、ＵＨＳ−ＩＩ対応ＳＤメモリカードを含んでいる、請求項１から６のいずれかに記載のカード用コネクタ。
【発明の詳細な説明】
【技術分野】
【０００１】
本発明は、カード用コネクタに関する。特に、外形寸法及び厚さは同じであるが、接続端子の配列が一部異なる二種類のカードを共用できるカード用コネクタの構造に関する。
【背景技術】
【０００２】
近年では、携帯電話機、パソコン、テレビ、ビデオ、デジタルカメラなどの電子機器は、ＣＰＵ又はメモリ素子などのＩＣ部品を組込んだＩＣカードを接続するために、カード用コネクタを搭載している。
【０００３】
ＩＣカードの一種であるメモリカードは、その外形寸法、又は厚さ、及び接続端子の配列が異なる複数種類のカードが開発されている。一方、電子機器の需要者側からは、異なる複数種類のカードを共用できるカード用コネクタを電子機器に搭載することが求められている。このような電子機器の需要者の要望に応えるため、外形寸法、又は厚さ、及び、接続端子の配列が異なる複数種類のカードを共用できるカード用コネクタが開発されている（例えば、特許文献１参照）。
【先行技術文献】
【特許文献】
【０００４】
【特許文献１】特開２００６−１６４７４９号公報
【発明の概要】
【発明が解決しようとする課題】
【０００５】
図３１は、従来技術によるカード用コネクタの構成を示す斜視図であり、カバー板を取り外した状態図である。図３２は、従来技術によるカード用コネクタの構成を示す縦断面図である。図３３は、従来技術によるカード用コネクタの構成を示す平面図であり、カバー板を取り外した状態図である。
【０００６】
図３４は、従来技術によるカード用コネクタに適用されるカードの構成を示す図であり、図３４（Ａ）は、第１種のカードであるＭＳデュオカードの構成を示す図であり、図３４（Ｂ）は、第２種のカードであるＳＤカードの構成を示す図であり、図３４（Ｃ）は、第３種のカードであるｍｉｎｉＳＤカードの構成を示す図である。なお、図３４において、上段は各カードの平面図を示し、中段は各カードの下面図を示し、下段は各カードの右側面図を示している。
【０００７】
本願の図３１、図３２、及び図３３は、特許文献１の図４、図３、及び図６に相当している。又、本願の図３４（Ａ）から図３４（Ｃ）は、特許文献１の図９から図１１に相当している。
【０００８】
図３１から図３３を参照すると、従来技術によるカード用コネクタ（以下、コネクタと略称する）９は、板状のハウジング９１とカバー板９２を備えている。又、コネクタ９は、複数の第１コンタクト９３と複数の第２コンタクト９４を備えている。
【０００９】
図３１又は図３３を参照すると、ハウジング９１は、第１凹部９１１と第２凹部９１２を有している。第１凹部９１１と第２凹部９１２は、段差を有している。第１凹部９１１の底面より第２凹部９１２の底面が高くなっている。第１凹部９１１には、複数の第１コンタクト９３を配列している。第２凹部９１２には、複数の第２コンタクト９４を配列している。
【００１０】
図３１から図３３を参照すると、カバー板９２は、第１凹部９１１と第２凹部９１２を覆っている。そして、後述する第１種のカードＤ、又は、第２種のカードＳ、及び、第２種のカードＭのいずれか一種類のカードを第１凹部９１１側からコネクタ９に挿入できる（図３４参照）。
【００１１】
図３１から図３３を参照すると、第１凹部９１１の両端部には、一対の板ばね状のカードガイド９５ａ・９５ｂを配置している。一対のカードガイド９５ａ・９５ｂは、第１凹部９１１に挿入したカードの両側面に当接して案内できる。又、一対のカードガイド９５ａ・９５ｂは、カバー板９２に向けてカードの底面を押圧できる（図３２参照）。一方のカードガイド９５ａは、その近傍に、カード認識用のスイッチ（図示せず）を配置している。カードを第１凹部９１１に挿入したときに、一方のカードガイド９５ａの動作に連動して、カード認識用のスイッチを作動できる。
【００１２】
又、図３１又は図３３を参照すると、コネクタ９は、イジェクト機構Ｊを備えている。イジェクト機構Ｊは、第１凹部９１１又は第２凹部９１２にカードを挿入すると、このカードを停止するように動作でき、停止状態のカードを押すと、カードを排出できる。このように動作するイジェクト機構Ｊは、プッシュ・プッシュ機構とも呼ばれている。
【００１３】
図３１又は図３３を参照すると、イジェクト機構Ｊは、平板状のスライド部材Ｊ１、圧縮コイルばねＪ２、及び、案内棒Ｊ３で構成している。スライド部材Ｊ１は、カードの挿抜方向と平行する方向に進退自在に、ハウジング９１と連結している。又、スライド部材Ｊ１は、ハート型のカム溝Ｊｄを一方の面に穿設している（図３３参照）。
【００１４】
図３１又は図３３を参照すると、圧縮コイルばねＪ２は、ハウジング９１に保持されている。又、圧縮コイルばねＪ２は、カードが排出される方向にスライド部材Ｊ１を付勢している。案内棒Ｊ３は、その一端部がハート型のカム溝Ｊｄに連結している。又、案内棒Ｊ３は、その他端部がハウジング９１に回転自在に連結している。
【００１５】
図３３を参照すると、案内棒Ｊ３の一端部は、ハート型のカム溝Ｊｄの始点に位置している。図３３に示した状態から、第１凹部９１１にカードを挿入し、圧縮コイルばねＪ２の付勢力に抗して、スライド部材Ｊ１をハウジング９１の奥側に移動すると、案内棒Ｊ３の一端部は、ハート型のカム溝Ｊｄの分岐点に移動する。そして、案内棒Ｊ３の一端部がハート型のカム溝Ｊｄの分岐点に到達すると、案内棒Ｊ３はスライド部材Ｊ１をロックでき、カードの停止位置を規定できる。
【００１６】
図３３を参照して、案内棒Ｊ３の一端部がハート型のカム溝Ｊｄの分岐点に位置した状態から、カードを一旦押すと、案内棒Ｊ３の一端部は、ハート型のカム溝Ｊｄの分岐点から解放されて、ハート型のカム溝Ｊｄの帰り行程に相対的に移動する。そして、圧縮コイルばねＪ２がスライド部材Ｊ１をハウジング９１の開口側に移動させることで、カードを排出できる。
【００１７】
次に、図３１から図３３に示したコネクタ９に適用されるカードの構成を説明する。図３４（Ａ）に示した第１種のカードＤは、例えば、ＭＳデュオカードと呼ばれる小型のメモリステックである。
【００１８】
図３４（Ａ）を参照すると、カードＤは、所定の外形幅Ｄｗと厚さＤｔを有している。又、カードＤは、誤挿入防止用の切り欠きＤａを隅部に形成している。更に、カードＤは、複数の接続端子Ｄｃを挿入側の端部に配列している。接続端子Ｄｃは、第２コンタクト９４と電気的に接続できる（図３１から図３３参照）。
【００１９】
図３４（Ｂ）に示した第２種のカードＳは、例えば、ＳＤカードと呼ばれるメモリカードである。図３４（Ｂ）を参照すると、カードＳは、所定の外形幅Ｓｗと厚さＳｔを有している。又、カードＳは、複数の接続端子Ｓｃを挿入側の端部に配列している。接続端子Ｓｃは、第１コンタクト９３と電気的に接続できる（図３１から図３３参照）。
【００２０】
図３４（Ａ）と図３４（Ｂ）を対比すると、カードＤは、カードＳと比べて、その奥行寸法が長くなっている。一方、カードＳの外形幅Ｓｗは、カードＤの外形幅Ｄｗより大きくなっている。又、カードＳの厚さＳｔは、カードＤの厚さＤｔより大きくなっている。つまり、外形幅Ｓｗ＞外形幅Ｄｗ、及び、厚さＳｔ＞厚さＤｔの関係になっている。
【００２１】
図３４（Ｃ）に示した第３種のカードＭは、例えば、ミニＳＤカードと呼ばれるメモリカードである。図３４（Ｃ）を参照すると、カードＭは、所定の外形幅Ｍｗと厚さＭｔを有している。又、カードＭは、一対の切り欠きＭａ・Ｍｂを一端部側の両側面に形成している。更に、カードＭは、複数の接続端子Ｍｃを挿入側の端部に配列している。接続端子Ｍｃは、第１コンタクト９３と電気的に接続できる（図３１から図３３参照）。
【００２２】
図３４（Ａ）と図３４（Ｂ）及び図３４（Ｃ）を対比すると、カードＭは、その奥行寸法がカードＳと略同じになっている。一方、カードＭは、その外形幅ＭｗがカードＤの外形幅Ｄｗと同じになっている。又、カードＭは、その厚さＭｔがカードＤの厚さＤｔと同じになっている。つまり、外形幅Ｓｗ＞外形幅Ｄｗ＝外形幅Ｍｗ、及び、厚さＳｔ＞厚さＤｔ＝厚さＭｔの関係になっている。
【００２３】
図３１から図３４を参照して、カードＤは、第１凹部９１１を通過して、第２凹部９１２に挿入されることで、カードＤが第１コンタクト９３に接触することなく、接続端子Ｄｃが第２コンタクト９４に接触できる。又、カードＳは、第１凹部９１１に挿入されることで、接続端子Ｓｃが第１コンタクト９３に接触できる。
【００２４】
一方、図３１から図３４を参照すると、カードＭは、外形幅Ｄｗ＝外形幅Ｍｗ、及び、厚さＤｔ＝厚さＭｔの関係になっているので、カードＭを第１凹部９１１に挿入することはできても、接続端子Ｍｃを第１コンタクト９３に確実に接触させることが困難であった。つまり、第１コンタクト９３の接点に向かって、接続端子Ｍｃを押圧することが困難であった。
【００２５】
そこで、コネクタ９は、カードＳの外形幅Ｓｗと同じ幅を有すると共に、カードＳの厚さＳｔと同じ厚さとなるように所定の板厚を有するキャリア（図示せず）を用いて、カードＭを着脱自在に保持することで、第１凹部９１１に挿入したキャリア付きカードＭの接続端子Ｍｃが第１コンタクト９３に確実に接触させることを実現した。このように、コネクタ９は、外形寸法、又は厚さ、及び、接続端子の配列が異なる複数種類のカードを共用できる。
【００２６】
近年では、メモリの転送速度を向上した、ＵＨＳ−Ｉ対応ＳＤメモリカード又はＵＨＳ−ＩＩ対応ＳＤメモリカードが出現している。ＵＨＳ−ＩＩ対応ＳＤメモリカードは、ＵＨＳ−Ｉ対応ＳＤメモリカードの転送速度の約３倍の転送速度を実現できる、とされている。以下、ＵＨＳ−Ｉ対応ＳＤメモリカードを第１カードと言い、ＵＨＳ−ＩＩ対応ＳＤメモリカードを第２カードと言う。
【００２７】
ところで、第１カードと第２カードを共用できるカード用コネクタが求められている。第１カードと第２カードは、これらの矩形の外形寸法とこれらの厚さが同じである。又、第１カードと第２カードは、挿入側の端部に形成された複数の第１接続端子の配列が同じである。一方、第２カードは、複数の第１接続端子の後段に複数の第２接続端子を配列しているという、第１カードとの違いがある。
【００２８】
実体として、第１カードは、その底面から窪んだ第１溝部の底面に複数の第１接続端子を配置している。一方、第２カードは、その底面から窪んだ第２溝部の底面に複数の第１接続端子及び複数の第２接続端子を配置している。つまり、第１溝部の端縁からの長さは、第２溝部の端縁からの長さより、短くなっている。
【００２９】
図３１から図３３に示したように、第１接続端子に接触できる第１コンタクトと、第２接続端子に接触できる第２コンタクトをハウジングの凹部に底面に配置することで、第２カードをハウジングの凹部に挿入すると、第２カードを第１コンタクト及び第２コンタクトに電気的に接続できる。一方、第１カードをハウジングの凹部に挿入すると、第１溝部の段差が第２コンタクトに当接して、第２コンタクトを損傷させる心配があった。
【００３０】
外形寸法及び厚さは同じであるが、接続端子の配列が一部異なる二種類のカードを共用できるカード用コネクタであって、コンタクトを損傷させる心配の無いカード用コネクタが求められている。そして、以上のことが本発明の課題といってよい。
【００３１】
本発明は、このような課題に鑑みてなされたものであり、外形寸法及び厚さは同じであるが、接続端子の配列が一部異なる二種類のカードを共用できるカード用コネクタであって、コンタクトを損傷させる心配の無いカード用コネクタを提供することを目的とする。
【課題を解決するための手段】
【００３２】
本発明者らは、複数の第２コンタクトを傾倒自在な絶縁バーを一組の板ばねの先端部に架橋し、第１溝部を端部に有する第１カードを第１ハウジングの凹部に挿入すると、第１カードの先端縁が絶縁バーに当接して、絶縁バーが複数の第２コンタクトを傾倒させて、第２コンタクトが第１カードに接触することを困難とし、第２溝部を端部に有する第２カードを第１ハウジングの凹部に挿入すると、絶縁バーが複数の第２コンタクトを傾倒させることなく、第２コンタクトが第２接続端子に接触できると考え、これに基づいて、以下のような新たなカード用コネクタを発明するに至った。
【００３３】
（１）  一方の端部の底面から窪んだ第１溝部の底面に複数の第１接続端子を配置した矩形の第１カードと、前記第１カードと外形寸法及び厚さが同じであり、一方の端部の底面から窪んだ第２溝部の底面に複数の前記第１接続端子及び複数の第２接続端子を配置した矩形の第２カードと、を共用できるカード用コネクタであって、前記第１カード又は前記第２カードを挿入自在な凹部を有する板状の第１ハウジングと、前記第１ハウジングの凹部を覆う第１カバー板と、前記凹部の奥側に配置され、前記第１接続端子に接触できる複数の第１コンタクトと、前記凹部の開口側に配置され、前記第２接続端子に接触できる複数の第２コンタクトと、を備え、前記第２接続端子は、複数の対をなす信号端子と、前記対をなす信号端子の両側に配置されるグラウンド端子と、を含み、前記第２コンタクトは、前記対をなす信号端子に接触自在な第１信号コンタクトと、前記グラウンド端子に接触自在な第１グラウンドコンタクトと、前記第１グラウンドコンタクトが前記グラウンド端子に向かう方向と同じ方向に延在する一対の板ばねと、一対の前記板ばねの先端部を架橋し、対をなす前記第１信号コンタクト及び前記第１グラウンドコンタクトを傾倒自在な絶縁バーと、を含み、前記第１カードを前記第１ハウジングの凹部に挿入すると、前記第１カードの底面が前記絶縁バーに当接して複数の前記第２コンタクトを傾倒させ、前記第２カードを前記第１ハウジングの凹部に挿入すると、前記絶縁バーが前記第２溝部の底面に当接することなく通過し、前記絶縁バーが複数の前記第２コンタクトを傾倒させることなく、前記第２コンタクトが前記第２接続端子に接触する、カード用コネクタ。
【００３４】
（２）  複数の前記第２コンタクトは、展開板を成形した導電性を有する金属板からなり、この金属板の中央部をモールドして前記第１ハウジングを成形すると共に、前記第１信号コンタクト、前記第１グラウンドコンタクト、及び前記板ばねを個別に分離している、（１）記載のカード用コネクタ。
【００３５】
（３）  前記絶縁バーの両端部は、前記対をなす第１信号コンタクトの両側に配置された前記板ばねの先端部をモールドしている、（１）又は（２）記載のカード用コネクタ。
【００３６】
（４）  一対の前記板ばねは、前記絶縁バーを成形した後に、対をなす前記第１信号コンタクトに向かって折り曲げられる（１）から（３）のいずれかに記載のカード用コネクタ。
【００３７】
（５）  一方の端部の底面から窪んだ第１溝部の底面に複数の第１接続端子を配置した矩形の第１カードと、前記第１カードと外形寸法及び厚さが同じであり、一方の端部の底面から窪んだ第２溝部の底面に複数の前記第１接続端子及び複数の第２接続端子を配置した矩形の第２カードと、を共用できるカード用コネクタであって、前記第１カード又は前記第２カードを挿入自在な凹部を有する板状の第２ハウジングと、前記第２ハウジングの凹部を覆う第２カバー板と、前記第２ハウジングの凹部の奥側に配置され、前記第１接続端子に接触できる複数の第３コンタクトと、前記第２ハウジングの凹部の開口側に配置され、前記第２接続端子に接触できる複数の第４コンタクトと、を備え、前記第２接続端子は、複数の対をなす信号端子と、前記対をなす信号端子の両側に配置されるグラウンド端子と、を含み、前記第４コンタクトは、前記対をなす信号端子に接触自在な第２信号コンタクトと、前記グラウンド端子に接触自在な第２グラウンドコンタクトと、前記第１溝部又は前記第２溝部を通過自在に配置されると共に、前記第２信号コンタクト及び前記第２グラウンドコンタクトの中間部に成形し、前記第２信号コンタクト及び前記第２グラウンドコンタクトを傾倒自在な絶縁ブロックと、を含み、前記第１カードを前記第２ハウジングの凹部に挿入すると、前記第１カードの底面が前記絶縁ブロックに当接して複数の前記第４コンタクトを傾倒させ、前記第２カードを前記第２ハウジングの凹部に挿入すると、前記絶縁ブロックが前記第２溝部の底面に当接することなく通過し、前記絶縁ブロックが複数の前記第４コンタクトを傾倒させることなく、前記第４コンタクトが前記第２接続端子に接触する、カード用コネクタ。
【００３８】
（６）  複数の前記第４コンタクトは、展開板を成形した導電性を有する金属板からなり、この金属板の中央部をモールドして前記第２ハウジングを成形すると共に、前記第２信号コンタクト、及び前記第２グラウンドコンタクトを個別に分離している、（５）記載のカード用コネクタ。
【００３９】
（７）  前記第１カードは、ＵＨＳ−Ｉ対応ＳＤメモリカードを含み、前記第２カードは、ＵＨＳ−ＩＩ対応ＳＤメモリカードを含んでいる、（１）から（６）のいずれかに記載のカード用コネクタ。
【発明の効果】
【００４０】
本発明の第１実施形態によるカード用コネクタは、複数の第２コンタクトを傾倒自在な絶縁バーを一組の板ばねの先端部に架橋し、第１溝部を端部に有する第１カードを第１ハウジングの凹部に挿入すると、第１カードの底面が絶縁バーに当接して複数の第２コンタクトを傾倒させて、第２コンタクトが第１カードに接触することを困難とするので、第２コンタクトを損傷させる心配を無くすことができる。
【００４１】
本発明の第２実施形態によるカード用コネクタは、複数の第４コンタクトを傾倒自在な絶縁ブロックを第２信号コンタクト及び第２グラウンドコンタクトの中間部に成形し、第１溝部を端部に有する第１カードを第２ハウジングの凹部に挿入すると、第１カードの底面が絶縁ブロックに当接して複数の第４コンタクトを傾倒させて、第４コンタクトが第１カードに接触することを困難とするので、第４コンタクトを損傷させる心配を無くすことができる。
【図面の簡単な説明】
【００４２】
【図１】本発明の第１実施形態によるカード用コネクタの構成を示す斜視図である。
【図２】第１実施形態によるカード用コネクタの構成を示す斜視分解組立図である。
【図３】第１実施形態によるカード用コネクタの構成を示す斜視図であり、第１カバー板を取り外した状態図である。
【図４】第１実施形態によるカード用コネクタの構成を示す斜視図であり、一部を断面図で示している。
【図５】第１実施形態によるカード用コネクタの構成を示す斜視図であり、カード用コネクタを底面側から観た状態図である。
【図６】第１実施形態によるカード用コネクタの構成を示す正面図である。
【図７】第１実施形態によるカード用コネクタの構成を示す背面図である。
【図８】本発明によるカード用コネクタに適用される第１カードの構成を示す斜視図であり、第１カードを表面側から観た状態図である。
【図９】本発明によるカード用コネクタに適用される第１カードの構成を示す斜視図であり、第１カードを底面側から観た状態図である。
【図１０】本発明によるカード用コネクタに適用される第１カードの構成を示す図であり、図１０（Ａ）は、第１カードの平面図、図１０（Ｂ）は、第１カードの背面図である。
【図１１】本発明によるカード用コネクタに適用される第２カードの構成を示す斜視図であり、第２カードを表面側から観た状態図である。
【図１２】本発明によるカード用コネクタに適用される第２カードの構成を示す斜視図であり、第２カードを底面側から観た状態図である。
【図１３】本発明によるカード用コネクタに適用される第２カードの構成を示す図であり、図１３（Ａ）は、第２カードの平面図、図１３（Ｂ）は、第２カードの背面図である。
【図１４】第１実施形態によるカード用コネクタに備わる第１コンタクト及び第２コンタクトの平面図であり、第１ハウジングにモールドする前の状態図である。
【図１５】第１実施形態によるカード用コネクタに備わる第１コンタクト及び第２コンタクトの斜視図であり、第１ハウジングにモールドする前の状態図である。
【図１６】第１実施形態によるカード用コネクタに備わる第１コンタクト及び第２コンタクトの斜視図であり、第１ハウジングにモールドした状態図である。
【図１７】第１実施形態によるカード用コネクタの構成を示す部分拡大縦断面図であり、図１７（Ａ）は、第１カードをカード用コネクタに挿入する途中の状態図、図１７（Ｂ）は、第１カードをカード用コネクタに挿入した状態図である。
【図１８】第１実施形態によるカード用コネクタの構成を示す部分拡大縦断面図であり、図１８（Ａ）は、第２カードをカード用コネクタに挿入する途中の状態図、図１８（Ｂ）は、第２カードをカード用コネクタに挿入した状態図である。
【図１９】本発明の第２実施形態によるカード用コネクタの構成を示す斜視図である。
【図２０】第２実施形態によるカード用コネクタの構成を示す斜視分解組立図である。
【図２１】第２実施形態によるカード用コネクタの構成を示す斜視図であり、第２カバー板を取り外した状態図である。
【図２２】第２実施形態によるカード用コネクタの構成を示す斜視図であり、一部を断面図で示している。
【図２３】第２実施形態によるカード用コネクタの構成を示す斜視図であり、カード用コネクタを底面側から観た状態図である。
【図２４】第２実施形態によるカード用コネクタの構成を示す正面図である。
【図２５】第２実施形態によるカード用コネクタの構成を示す背面図である。
【図２６】第２実施形態によるカード用コネクタに備わる第３コンタクト及び第４コンタクトの平面図であり、第２ハウジングにモールドする前の状態図である。
【図２７】第２実施形態によるカード用コネクタに備わる第３コンタクト及び第４コンタクトの斜視図であり、第２ハウジングにモールドする前の状態図である。
【図２８】第２実施形態によるカード用コネクタに備わる第３コンタクト及び第４コンタクトの斜視図であり、第２ハウジングにモールドした状態図である。
【図２９】第２実施形態によるカード用コネクタの構成を示す部分拡大縦断面図であり、図２９（Ａ）は、第１カードをカード用コネクタに挿入する途中の状態図、図２９（Ｂ）は、第１カードをカード用コネクタに挿入した状態図である。
【図３０】第２実施形態によるカード用コネクタの構成を示す部分拡大縦断面図であり、図３０（Ａ）は、第２カードをカード用コネクタに挿入する途中の状態図、図３０（Ｂ）は、第２カードをカード用コネクタに挿入した状態図である。
【図３１】従来技術によるカード用コネクタの構成を示す斜視図であり、カバー板を取り外した状態図である。
【図３２】従来技術によるカード用コネクタの構成を示す縦断面図である。
【図３３】従来技術によるカード用コネクタの構成を示す平面図であり、カバー板を取り外した状態図である。
【図３４】従来技術によるカード用コネクタに適用されるカードの構成を示す図であり、図３４（Ａ）は、第１種のカードであるＭＳデュオカードの構成を示す図であり、図３４（Ｂ）は、第２種のカードであるＳＤカードの構成を示す図であり、図３４（Ｃ）は、第３種のカードであるｍｉｎｉＳＤカードの構成を示す図である。
【発明を実施するための形態】
【００４３】
以下、図面を参照して本発明を実施するための形態を説明する。
［第１実施形態］
（カード用コネクタの構成）
最初に、本発明の第１実施形態によるカード用コネクタの構成を説明する。
【００４４】
図１は、本発明の第１実施形態によるカード用コネクタの構成を示す斜視図である。図２は、第１実施形態によるカード用コネクタの構成を示す斜視分解組立図である。
【００４５】
図３は、第１実施形態によるカード用コネクタの構成を示す斜視図であり、第１カバー板を取り外した状態図である。図４は、第１実施形態によるカード用コネクタの構成を示す斜視図であり、一部を断面図で示している。図５は、第１実施形態によるカード用コネクタの構成を示す斜視図であり、カード用コネクタを底面側から観た状態図である。
【００４６】
図６は、第１実施形態によるカード用コネクタの構成を示す正面図である。図７は、第１実施形態によるカード用コネクタの構成を示す背面図である。
【００４７】
（第１カード及び第２カードの構成）
本発明の第１実施形態によるカード用コネクタの構成を説明する前に、本発明によるカード用コネクタに適用される第１カード及び第２カードの構成を説明する。
【００４８】
図８は、本発明によるカード用コネクタに適用される第１カードの構成を示す斜視図であり、第１カードを表面側から観た状態図である。図９は、本発明によるカード用コネクタに適用される第１カードの構成を示す斜視図であり、第１カードを底面側から観た状態図である。
【００４９】
図１０は、本発明によるカード用コネクタに適用される第１カードの構成を示す図であり、図１０（Ａ）は、第１カードの平面図、図１０（Ｂ）は、第１カードの背面図である。
【００５０】
図１１は、本発明によるカード用コネクタに適用される第２カードの構成を示す斜視図であり、第２カードを表面側から観た状態図である。図１２は、本発明によるカード用コネクタに適用される第２カードの構成を示す斜視図であり、第２カードを底面側から観た状態図である。
【００５１】
図１３は、本発明によるカード用コネクタに適用される第２カードの構成を示す図であり、図１３（Ａ）は、第２カードの平面図、図１３（Ｂ）は、第２カードの背面図である。
【００５２】
図８から図１０を参照すると、第１カードＣ１は、ＵＨＳ−Ｉ対応ＳＤメモリカードを示している。第１カードＣ１は、その外形を矩形に形成している。又、第１カードＣ１は、誤挿入防止用の切り欠きＣａを隅部に形成している。更に、第１カードＣ１は、複数の第１溝部Ｄ１を一方の端部に形成している。第１溝部Ｄ１は、第１カードＣ１の底面Ｂｆから窪んでいる。そして、第１溝部Ｄ１の底面に、第１接続端子１ｃｔを配置している。
【００５３】
図８から図１０を参照すると、第１カードＣ１は、絶縁性を有するプラスチック筐体ｃｈ１の内部にＩＣチップ（図示せず）を収納している。このＩＣチップは、第１溝部Ｄ１の底面に貼り付けられた複数の金属箔に接続している。そして、この金属箔が第１カードＣ１の第１接続端子１ｃｔとなっている。第１接続端子１ｃｔは、後述する第１コンタクト３と電気的に接続できる。
【００５４】
図１１から図１３を参照すると、第２カードＣ２は、ＵＨＳ−ＩＩ対応ＳＤメモリカードを示している。第２カードＣ２は、その外形を矩形に形成している。又、第２カードＣ２は、誤挿入防止用の切り欠きＣａを隅部に形成している。更に、第２カードＣ２は、複数の第２溝部Ｄ２を一方の端部に形成している。第２溝部Ｄ２は、第２カードＣ２の底面Ｂｆから窪んでいる。そして、第２溝部Ｄ２の底面に、第１接続端子１ｃｔ及び第２接続端子２ｃｔを配置している。
【００５５】
図１１から図１３を参照すると、第２カードＣ２は、絶縁性を有するプラスチック筐体ｃｈ２の内部にＩＣチップ（図示せず）を収納している。このＩＣチップは、第２溝部Ｄ２の底面に貼り付けられた複数の金属箔に接続している。そして、この金属箔が第２カードＣ２の第１接続端子１ｃｔ及び第２接続端子２ｃｔとなっている。第２カードＣ２の第１接続端子１ｃｔは、後述する第１コンタクト３と電気的に接続できる。
【００５６】
図１２又は図１３（Ｂ）を参照すると、第２接続端子２ｃｔは、一組の対をなす信号端子２ｓｔ・２ｓｔと複数のグラウンド端子２ｇｔを含んでいる。一対のグラウンド端子２ｇｔ・２ｇｔは、対をなす信号端子２ｓｔ・２ｓｔの両側に配置されている。信号端子２ｓｔは、後述する第２コンタクト４の内の第１信号コンタクト４ｓと電気的に接続できる。グラウンド端子２ｇｔは、後述する第２コンタクト４の内の第１グラウンドコンタクト４ｇと電気的に接続できる。
【００５７】
図８と図１１を対比すると、第１カードＣ１と第２カードＣ２は、これらの表面Ｓｆ側から観ると、これらの矩形の外形寸法とこれらの厚さｔが同じである。
【００５８】
又、図１０（Ｂ）と図１３（Ｂ）を対比すると、第１カードＣ１と第２カードＣ２は、挿入側の端部に形成された複数の第１接続端子１ｃｔの配列が同じである。一方、第２カードＣ２は、複数の第１接続端子１ｃｔの後段に複数の第２接続端子２ｃｔを配列しているという、第１カードＣ１との違いがある。
【００５９】
更に、図９と図１２を対比すると、第１溝部Ｄ１の端縁からの長さは、第２溝部Ｄ２の端縁からの長さより短くなっている、という違いがある。
【００６０】
（全体構成）
次に、本発明の第１実施形態によるカード用コネクタの全体構成を説明する。図１から図７を参照すると、本発明の第１実施形態によるカード用コネクタ（以下、コネクタと略称する）１０は、板状の第１ハウジング１と第１カバー板２を備えている。又、コネクタ１０は、複数の第１コンタクト３と複数の第２コンタクト４を備えている。
【００６１】
図２から図４を参照すると、第１ハウジング１は、第１カードＣ１又は第２カードＣ２を挿入自在な凹部１１を形成している。凹部１１は、一対の側壁１ａ・１ｂと後壁１ｃで囲われている。図１又は図２を参照すると、第１カバー板２は、凹部１１を覆っている。第１カバー板２で覆われた凹部１１を第１カードＣ１又は第２カードＣ２の収容空間とすることができる。
【００６２】
図２から図４を参照すると、第１コンタクト３は、凹部１１の奥側に配置している。第１コンタクト３は、第１カードＣ１の第１接続端子１ｃｔに接触できる（図９又は図１０（Ｂ）参照）。又、第１コンタクト３は、第２カードＣ２の第１接続端子１ｃｔに接触できる（図１２又は図１３（Ｂ）参照）。
【００６３】
図２から図４を参照すると、第２コンタクト４は、凹部１１の開口側に配置している。第２コンタクト４は、第２カードＣ２の第２接続端子２ｃｔに接触できる（図１２又は図１３（Ｂ）参照）。
【００６４】
図２から図５を参照すると、第２コンタクト４は、対をなす第１信号コンタクト４ｓ・４ｓと四つの第１グラウンドコンタクト４ｇを含んでいる。又、第２コンタクト４は、一対一組の板ばね４ａ・４ａと一組の絶縁バー４ｂ・４ｂを含んでいる。
【００６５】
図２から図５を参照すると、対をなす第１信号コンタクト４ｓ・４ｓは、対をなす信号端子２ｓｔ・２ｓｔに接触できる（図１２又は図１３（Ｂ）参照）。第１グラウンドコンタクト４ｇは、グラウンド端子２ｇｔに接触できる（図１２又は図１３（Ｂ）参照）。一対の板ばね４ａ・４ａは、第１グラウンドコンタクト４ｇがグラウンド端子２ｇｔに向かう方向と同じ方向に延在している。
【００６６】
図２から図４を参照すると、絶縁バー４ｂは、一対の板ばね４ａ・４ａの先端部を架橋している。第１カードＣ１を第１ハウジング１の凹部１１に挿入すると、第１溝部Ｄ１の段差が絶縁バー４ｂに当接して、第１信号コンタクト４ｓ及び第１グラウンドコンタクト４ｇを傾倒できる（図１７（Ｂ）参照）。
【００６７】
（第１ハウジングの構成）
次に、第１実施形態による第１ハウジング１の構成を説明する。図１から図７を参照して、第１ハウジング１は、絶縁性を有する合成樹脂からなり、絶縁性を有する合成樹脂を成形して、所望の形状を得ることができる。
【００６８】
図２から図４を参照すると、第１ハウジング１は、イジェクト機構Ｅを凹部１１の一方の端部に配置している。イジェクト機構Ｅは、第１カードＣ１又は第２カードＣ２を凹部１１に挿入すると、第１カードＣ１又は第２カードＣ２を停止するように動作でき、停止状態の第１カードＣ１又は第２カードＣ２を押すと、第１カードＣ１又は第２カードＣ２を排出できる。以下、イジェクト機構Ｅの構成及び動作は、第１カードＣ１を代表して説明する。
【００６９】
図４を参照すると、イジェクト機構Ｅは、平板状のスライド部材Ｅ１、圧縮コイルばねＥ２、及び、案内棒Ｅ３で構成している。スライド部材Ｅ１は、第１カードＣ１の挿抜方向と平行する方向に進退自在に、第１ハウジング１と連結している。又、スライド部材Ｅ１は、第１カードＣ１の切り欠きＣａに係合するＬ字片を先端部に形成している。更に、スライド部材Ｅ１は、第１カードＣ１の側面に形成された溝部（図８参照）に係合自在な板ばねＥａを有している。又、スライド部材Ｅ１は、ハート型のカム溝（図示せず）を側面に穿設している。
【００７０】
図４を参照すると、圧縮コイルばねＥ２は、スライド部材Ｅ１の内部に保持されている。又、圧縮コイルばねＥ２は、第１カードＣ１が排出される方向にスライド部材Ｅ１を付勢している。案内棒Ｅ３は、その一端部がハート型のカム溝（図示せず）に連結している。又、案内棒Ｅ３は、その他端部が第１ハウジング１に回転自在に連結している。
【００７１】
図４を参照して、凹部１１に第１カードＣ１を挿入し、圧縮コイルばねＥ２の付勢力に抗して、スライド部材Ｅ１を第１ハウジング１の奥側に移動すると、案内棒Ｅ３の一端部は、ハート型のカム溝の分岐点に移動する。そして、案内棒Ｅ３の一端部がハート型のカム溝の分岐点に到達すると、案内棒Ｅ３はスライド部材Ｅ１をロックでき、第１カードＣ１の停止位置を規定できる。
【００７２】
図４を参照して、案内棒Ｅ３の一端部がハート型のカム溝の分岐点に位置した状態から、第１カードＣ１を一旦押すと、案内棒Ｅ３の一端部は、ハート型のカム溝の分岐点から解放されて、ハート型のカム溝の帰り行程に相対的に移動する。そして、圧縮コイルばねＥ２がスライド部材Ｅ１を第１ハウジング１の開口側に移動させることで、第１カードＣ１を排出できる。
【００７３】
（第１カバー板の構成）
次に、第１実施形態による第１カバー板２の構成を説明する。図１又は図２を参照すると、第１カバー板２は、導電性を有する金属板で構成している。第１カバー板２は、天板２１と一対の側面板２２・２３で構成している。
【００７４】
図１又は図２を参照すると、天板２１は、凹部１１に対向配置されている。一対の側面板２２・２３は、天板２１の両端部が直角に折り曲げられて形成されている。一対の側面板２２・２３は、第１ハウジング１の両側面に密着できる。一対の側面板２２・２３は、それらの一部が更に折り曲げられて、第１ハウジング１の底面に密着できる。そして、第１ハウジング１の開口側から第１カバー板２を挿入することで、第１カバー板２を第１ハウジング１に組み立てることができる。
【００７５】
図１又は図２を参照すると、天板２１には、複数の第２コンタクト４を視認容易な窓２１ｗを開口している。又、天板２１には、第１カードＣ１又は第２カードＣ２を表面Ｓｆ側から押圧する板ばね片２１ａを有している。更に、天板２１には、スライド部材Ｅ１を押圧する板ばね片２１ｂを有している（図４参照）。一方の側面板２２には、案内棒Ｅ３を押圧する板ばね片２２ｂを有している（図４参照）。
【００７６】
図１又は図２を参照して、導電性を有する第１カバー板２で第１ハウジング１を覆うことで、内部に収容された第１カードＣ１又は第２カードＣ２を電磁妨害から守ることができる。
【００７７】
引き続き、第１実施形態によるコネクタ１０の構成を説明する。図１４は、第１実施形態によるカード用コネクタに備わる第１コンタクト及び第２コンタクトの平面図であり、第１ハウジングにモールドする前の状態図である。
【００７８】
図１５は、第１実施形態によるカード用コネクタに備わる第１コンタクト及び第２コンタクトの斜視図であり、第１ハウジングにモールドする前の状態図である。図１６は、第１実施形態によるカード用コネクタに備わる第１コンタクト及び第２コンタクトの斜視図であり、第１ハウジングにモールドした状態図である。
【００７９】
（第１コンタクトの構成）
次に、第１実施形態による第１コンタクト３の構成を説明する。図１４又は図１５を参照すると、第１コンタクト３は、展開板（図示せず）が成形された導電性を有する金属板からなり、展開板を打ち抜き加工又は折り曲げ加工して、導電性を有する片持ち状のベローズコンタクトを得ることができる。第１コンタクト３は、加工の容易性や、ばね特性、導電性などを考慮すれば、銅合金が好ましく用いられるが、銅合金に限定される訳ではない。
【００８０】
図１４又は図１５を参照すると、九つの第１コンタクト３は、互いに分離しているが、九つの第１コンタクト３が部分的に互いに繋がった連鎖状コンタクトしてもよく、図１６に示すように、第１コンタクト３の固定部をモールドして第１ハウジング１を成形した後に、連鎖状コンタクトを適宜に打ち抜き加工することで、九つの第１コンタクト３を個別に分離できる。
【００８１】
図２から図４を参照すると、第１コンタクト３は、その固定端部が第１ハウジング１に固定されている。一方、第１コンタクト３は、その自由端部が凹部１１の底面から傾斜して延出している。そして、第１コンタクト３の自由端部の頂き部が第１接続端子１ｃｔに接触できる接点３ｓを形成している（図１５参照）。
【００８２】
図７を参照すると、第１コンタクト３は、その固定端部にリード片３ｒを形成している。これらのリード片３ｒは、プリント基板１ｐの一方の面１１ｐにハンダ接合できる（図１参照）。つまり、コネクタ１０は、表面実装形のコネクタになっている。
【００８３】
（第２コンタクトの構成）
次に、第１実施形態による第２コンタクト４の構成を説明する。図１４又は図１５を参照すると、第２コンタクト４は、展開板（図示せず）が成形された導電性を有する金属板４ｐからなっている。展開板を打ち抜き加工又は折り曲げ加工して、導電性を有する片持ち状のベローズコンタクトを得ることができる。第２コンタクト４は、加工の容易性や、ばね特性、導電性などを考慮すれば、銅合金が好ましく用いられるが、銅合金に限定される訳ではない。
【００８４】
図１４又は図１５を参照して、金属板４ｐの中央部をモールドして、第１ハウジング１を成形できる。そして、図１６に示すように、第２コンタクト４は、第１信号コンタクト４ｓ、第１グラウンドコンタクト４ｇ、及び板ばね４ａを個別に分離している。
【００８５】
図２から図４を参照すると、第１信号コンタクト４ｓは、その固定端部が第１ハウジング１に固定されている。一方、第１信号コンタクト４ｓは、その自由端部が凹部１１の底面から傾斜して延出している。そして、第１信号コンタクト４ｓの自由端部の頂き部が信号端子２ｓｔに接触できる接点４１ｓを形成している（図１５参照）。
【００８６】
同様に、図２から図４を参照すると、第１グラウンドコンタクト４ｇは、その固定端部が第１ハウジング１に固定されている。一方、第１グラウンドコンタクト４ｇは、その自由端部が凹部１１の底面から傾斜して延出している。そして、第１グラウンドコンタクト４ｇの自由端部の頂き部がグラウンド端子２ｇｔに接触できる接点を形成している（図１５参照）。
【００８７】
図２又は図３を参照すると、第１グラウンドコンタクト４ｇは、幅広のリード片４ｇｒを第１ハウジング１の両側面から延出している。これらのリード片４ｇｒは、プリント基板１ｐの一方の面１１ｐにハンダ接合できる（図１参照）。つまり、コネクタ１０は、表面実装形のコネクタになっている。又、リード片４ｇｒを幅広にすることで、グラウンドを強化できる。
【００８８】
図２から図４を参照すると、絶縁バー４ｂの両端部は、対をなす第１信号コンタクト４ｓ・４ｓの両側に配置された板ばね４ａ・４ａの先端部をモールドしている。図１６に示すように、一対の板ばね４ａ・４ａは、絶縁バー４ｂを成形した後に、対をなす第１信号コンタクト４ｓ・４ｓに向かって折り曲げられることが好ましい。
【００８９】
（カード用コネクタの作用）
次に、第１実施形態によるコネクタ１０の動作を説明しながら、コネクタ１０の作用及び効果を説明する。
【００９０】
図１７は、第１実施形態によるカード用コネクタの構成を示す部分拡大縦断面図であり、図１７（Ａ）は、第１カードをカード用コネクタに挿入する途中の状態図、図１７（Ｂ）は、第１カードをカード用コネクタに挿入した状態図である。
【００９１】
図１８は、第１実施形態によるカード用コネクタの構成を示す部分拡大縦断面図であり、図１８（Ａ）は、第２カードをカード用コネクタに挿入する途中の状態図、図１８（Ｂ）は、第２カードをカード用コネクタに挿入した状態図である。
【００９２】
図１７（Ａ）を参照して、第１カードＣ１を第１ハウジング１の凹部１１に挿入すると、第１カードＣ１の先端縁が絶縁バー４ｂに向かって進行する。図１７（Ｂ）を参照すると、第１カードＣ１を第１ハウジング１の凹部１１に挿入した状態では、第１カードＣ１の先端縁が第１信号コンタクト４ｓ及び第１グラウンドコンタクト４ｇに当接する前に、第１カードＣ１の底面Ｂｆが絶縁バー４ｂに当接して、絶縁バー４ｂが第１信号コンタクト４ｓ及び第１グラウンドコンタクト４ｇを傾倒させている。これにより、第１信号コンタクト４ｓ及び第１グラウンドコンタクト４ｇが第１カードＣ１の底面Ｂｆに接触することなく、第１信号コンタクト４ｓ及び第１グラウンドコンタクト４ｇの損傷を防止できる。なお、第１カードＣ１を第１ハウジング１の凹部１１に挿入した状態では、第１接続端子１ｃｔは、第１コンタクト３に接触している（図１７（Ｂ）参照）。
【００９３】
図１８（Ａ）を参照して、第２カードＣ２を第１ハウジング１の凹部１１に挿入すると、第２カードＣ２の先端縁が絶縁バー４ｂに向かって進行する。図１８（Ｂ）を参照すると、第２カードＣ２を第１ハウジング１の凹部１１に挿入した状態では、絶縁バー４ｂは、第２溝部Ｄ２の底面に当接することなく通過できる。そして、絶縁バー４ｂが第１信号コンタクト４ｓ及び第１グラウンドコンタクト４ｇを傾倒させることなく、第１信号コンタクト４ｓ及び第１グラウンドコンタクト４ｇを第２接続端子２ｃｔに接触できる。なお、絶縁バー４ｂが第１溝部Ｄ１の底面に当接しても、第１信号コンタクト４ｓ及び第１グラウンドコンタクト４ｇを傾倒させないように、絶縁バー４ｂを構成している。又、第２カードＣ２を第１ハウジング１の凹部１１に挿入した状態では、第１接続端子１ｃｔは、第１コンタクト３に接触している（図１８（Ｂ）参照）。
【００９４】
このように、第１実施形態によるコネクタ１０は、複数の第２コンタクト４を傾倒自在な絶縁バー４ｂを一組の板ばね４ａ・４ａの先端部に架橋し、第１溝部Ｄ１を端部に有する第１カードＣ１を第１ハウジング１の凹部１１に挿入すると、第１溝部Ｄ１の段差が絶縁バー４ｂに当接して複数の第２コンタクト４を傾倒させて、第２コンタクト４が第１カードＣ１に接触することを困難とするので、第２コンタクト４を損傷させる心配を無くすことができる。
［第２実施形態］
（カード用コネクタの構成）
次に、本発明の第２実施形態によるカード用コネクタの構成を説明する。
【００９５】
図１９は、本発明の第２実施形態によるカード用コネクタの構成を示す斜視図である。図２０は、第２実施形態によるカード用コネクタの構成を示す斜視分解組立図である。
【００９６】
図２１は、第２実施形態によるカード用コネクタの構成を示す斜視図であり、第２カバー板を取り外した状態図である。図２２は、第２実施形態によるカード用コネクタの構成を示す斜視図であり、一部を断面図で示している。図２３は、第２実施形態によるカード用コネクタの構成を示す斜視図であり、カード用コネクタを底面側から観た状態図である。
【００９７】
図２４は、第２実施形態によるカード用コネクタの構成を示す正面図である。図２５は、第２実施形態によるカード用コネクタの構成を示す背面図である。なお、第１実施形態で用いた符号と同じ符号を有する構成品は、その作用を同じにするので説明を省略することがある。
【００９８】
（全体構成）
次に、本発明の第２実施形態によるカード用コネクタの全体構成を説明する。図１９から図２５を参照すると、本発明の第２実施形態によるカード用コネクタ（以下、コネクタと略称する）２０は、板状の第２ハウジング５と第２カバー板６を備えている。又、コネクタ２０は、複数の第３コンタクト７と複数の第４コンタクト８を備えている。
【００９９】
図２０から図２２を参照すると、第２ハウジング５は、第１カードＣ１又は第２カードＣ２を挿入自在な凹部５１を形成している。凹部５１は、一対の側壁５ａ・５ｂと後壁５ｃで囲われている。図１９又は図２０を参照すると、第２カバー板６は、凹部５１を覆っている。第２カバー板６で覆われた凹部５１を第１カードＣ１又は第２カードＣ２の収容空間とすることができる。
【０１００】
図２０から図２２を参照すると、第３コンタクト７は、凹部５１の奥側に配置している。第３コンタクト７は、第１カードＣ１の第１接続端子１ｃｔに接触できる（図９又は図１０（Ｂ）参照）。又、第３コンタクト７は、第２カードＣ２の第１接続端子１ｃｔに接触できる（図１２又は図１３（Ｂ）参照）。
【０１０１】
図２０から図２２を参照すると、第４コンタクト８は、凹部５１の開口側に配置している。第４コンタクト８は、第２カードＣ２の第２接続端子２ｃｔに接触できる（図１２又は図１３（Ｂ）参照）。
【０１０２】
図２０から図２３を参照すると、第４コンタクト８は、対をなす第２信号コンタクト８ｓ・８ｓと四つの第２グラウンドコンタクト８ｇを含んでいる。又、第４コンタクト８は、第２信号コンタクト８ｓ及び第２グラウンドコンタクト８ｇの中間部に成形した八つの絶縁ブロック８ｂを含んでいる。
【０１０３】
図２０から図２３を参照すると、対をなす第２信号コンタクト８ｓ・８ｓは、対をなす信号端子２ｓｔ・２ｓｔに接触できる（図１２又は図１３（Ｂ）参照）。第２グラウンドコンタクト８ｇは、グラウンド端子２ｇｔに接触できる（図１２又は図１３（Ｂ）参照）。
【０１０４】
図２０から図２２を参照すると、絶縁ブロック８ｂは、第１溝部Ｄ１又は第２溝部Ｄ２を通過自在に配置されている（図９又は図１２参照）。第１カードＣ１を第２ハウジング５の凹部５１に挿入すると、第１溝部Ｄ１の段差が絶縁ブロック８ｂに当接して、第２信号コンタクト８ｓ及び第２グラウンドコンタクト８ｇを傾倒できる（図２９（Ｂ）参照）。
（第２ハウジングの構成）
次に、第２実施形態による第２ハウジング５の構成を説明する。図１９から図２５を参照して、第２ハウジング５は、絶縁性を有する合成樹脂からなり、絶縁性を有する合成樹脂を成形して、所望の形状を得ることができる。
【０１０５】
図１９から図２２を参照すると、第２ハウジング５は、イジェクト機構Ｅを凹部５１の一方の端部に配置している。イジェクト機構Ｅは、第１カードＣ１又は第２カードＣ２を凹部５１に挿入すると、第１カードＣ１又は第２カードＣ２を停止するように動作でき、停止状態の第１カードＣ１又は第２カードＣ２を押すと、第１カードＣ１又は第２カードＣ２を排出できる。
【０１０６】
（第２カバー板の構成）
次に、第２実施形態による第２カバー板６の構成を説明する。図１９又は図２０を参照すると、第２カバー板６は、導電性を有する金属板で構成している。第２カバー板６は、天板６１と一対の側面板６２・６３で構成している。
【０１０７】
図１９又は図２０を参照すると、天板６１は、凹部５１に対向配置されている。一対の側面板６２・６３は、天板６１の両端部が直角に折り曲げられて形成されている。一対の側面板６２・６３は、第２ハウジング５の両側面に密着できる。一対の側面板６２・６３は、それらの一部が更に外側に折り曲げられている。そして、第２ハウジング５の凹部５１に向かって第２カバー板６を挿入することで、第２カバー板６を第２ハウジング５に組み立てることができる。
【０１０８】
図１９又は図２０を参照すると、天板６１には、複数の第４コンタクト８を視認容易な窓６１ｗを少なくとも開口している。又、天板６１には、第１カードＣ１又は第２カードＣ２を表面Ｓｆ側から押圧する板ばね片６１ａを有している。更に、天板６１には、スライド部材Ｅ１を押圧する板ばね片６１ｂを有している（図２２参照）。一方の側面板６２には、案内棒Ｅ３を押圧する板ばね片６２ｂを有している（図２２参照）。
【０１０９】
図１９又は図２０を参照して、導電性を有する第２カバー板６で第２ハウジング５を覆うことで、内部に収容された第１カードＣ１又は第２カードＣ２を電磁妨害から守ることができる。
【０１１０】
引き続き、第２実施形態によるコネクタ２０の構成を説明する。図２６は、第２実施形態によるカード用コネクタに備わる第３コンタクト及び第４コンタクトの平面図であり、第２ハウジングにモールドする前の状態図である。
【０１１１】
図２７は、第２実施形態によるカード用コネクタに備わる第３コンタクト及び第４コンタクトの斜視図であり、第２ハウジングにモールドする前の状態図である。図２８は、第２実施形態によるカード用コネクタに備わる第３コンタクト及び第４コンタクトの斜視図であり、第２ハウジングにモールドした状態図である。
【０１１２】
（第３コンタクトの構成）
次に、第２実施形態による第３コンタクト７の構成を説明する。図２６又は図２７を参照すると、第３コンタクト７は、展開板（図示せず）が成形された導電性を有する金属板からなり、展開板を打ち抜き加工又は折り曲げ加工して、導電性を有する片持ち状のベローズコンタクトを得ることができる。第３コンタクト７は、加工の容易性や、ばね特性、導電性などを考慮すれば、銅合金が好ましく用いられるが、銅合金に限定される訳ではない。
【０１１３】
図２６又は図２７を参照すると、九つの第３コンタクト７は、互いに分離しているが、九つの第３コンタクト７が部分的に互いに繋がった連鎖状コンタクトしてもよく、図１６に示すように、第３コンタクト７の固定部をモールドして第２ハウジング５を成形した後に、連鎖状コンタクトを適宜に打ち抜き加工することで、九つの第１コンタクト３を個別に分離できる。
【０１１４】
図２０から図２２を参照すると、第３コンタクト７は、その固定端部が第２ハウジング５に固定されている。一方、第３コンタクト７は、その自由端部が凹部５１の底面から傾斜して延出している。そして、第３コンタクト７の自由端部の頂き部が第１接続端子１ｃｔに接触できる接点３ｓを形成している（図２７参照）。
【０１１５】
図２５を参照すると、第３コンタクト７は、その固定端部にリード片７ｒを形成している。これらのリード片７ｒは、プリント基板１ｐの一方の面１１ｐにハンダ接合できる（図１９参照）。つまり、コネクタ２０は、表面実装形のコネクタになっている。
【０１１６】
（第４コンタクトの構成）
次に、第２実施形態による第４コンタクト８の構成を説明する。図２６又は図２７を参照すると、第４コンタクト８は、展開板（図示せず）が成形された導電性を有する金属板８ｐからなっている。展開板を打ち抜き加工又は折り曲げ加工して、導電性を有する片持ち状のベローズコンタクトを得ることができる。第４コンタクト８は、加工の容易性や、ばね特性、導電性などを考慮すれば、銅合金が好ましく用いられるが、銅合金に限定される訳ではない。
【０１１７】
図２６又は図２７を参照して、金属板８ｐの中央部をモールドして、第２ハウジング５を成形できる。そして、図２８に示すように、第４コンタクト８は、第２信号コンタクト８ｓ、及び、第２グラウンドコンタクト８ｇを個別に分離している。
【０１１８】
図２０から図２２を参照すると、第２信号コンタクト８ｓは、その固定端部が第２ハウジング５に固定されている。一方、第２信号コンタクト８ｓは、その自由端部が凹部５１の底面から傾斜して延出している。そして、第２信号コンタクト８ｓの自由端部の頂き部が信号端子２ｓｔに接触できる接点８１ｓを形成している（図２７参照）。
【０１１９】
同様に、図２０から図２２を参照すると、第２グラウンドコンタクト８ｇは、その固定端部が第２ハウジング５に固定されている。一方、第２グラウンドコンタクト８ｇは、その自由端部が凹部５１の底面から傾斜して延出している。そして、第２グラウンドコンタクト８ｇの自由端部の頂き部がグラウンド端子２ｇｔに接触できる接点を形成している（図２７参照）。
【０１２０】
図２０又は図２１を参照すると、第２グラウンドコンタクト８ｇは、幅広のリード片８１ｒを第２ハウジング５の両側面から延出している。又、第２グラウンドコンタクト８ｇは、一組のリード片８２ｒ・８２ｒを第２ハウジング５の開口側に延出している。これらのリード片８１ｒ・８２ｒは、プリント基板１ｐの一方の面１１ｐにハンダ接合できる（図１９参照）。つまり、コネクタ２０は、表面実装形のコネクタになっている。又、複数のリード片８１ｒ・８２ｒをプリント基板１ｐの一方の面１１ｐにハンダ接合することで（図１９参照）、グラウンドを強化できる。
【０１２１】
図２０から図２２を参照すると、絶縁ブロック８ｂは、第２信号コンタクト８ｓの中間部にモールド成形している。又、絶縁ブロック８ｂは、第２グラウンドコンタクト８ｇの中間部にモールド成形している。図２８に示すように、複数の絶縁ブロック８ｂは、横一列に配列されている。
【０１２２】
（カード用コネクタの作用）
次に、第２実施形態によるコネクタ２０の動作を説明しながら、コネクタ２０の作用及び効果を説明する。
【０１２３】
図２９は、第２実施形態によるカード用コネクタの構成を示す部分拡大縦断面図であり、図２９（Ａ）は、第１カードをカード用コネクタに挿入する途中の状態図、図２９（Ｂ）は、第１カードをカード用コネクタに挿入した状態図である。
【０１２４】
図３０は、第２実施形態によるカード用コネクタの構成を示す部分拡大縦断面図であり、図３０（Ａ）は、第２カードをカード用コネクタに挿入する途中の状態図、図３０（Ｂ）は、第２カードをカード用コネクタに挿入した状態図である。
【０１２５】
図２９（Ａ）を参照して、第１カードＣ１を第２ハウジング５の凹部５１に挿入すると、第１溝部Ｄ１の段差が絶縁ブロック８ｂに向かって進行する。図２９（Ｂ）を参照すると、第１カードＣ１を第２ハウジング５の凹部５１に挿入した状態では、第１溝部Ｄ１の段差が第２信号コンタクト８ｓ及び第２グラウンドコンタクト８ｇに当接する前に、第１カードＣ１の底面Ｂｆが絶縁ブロック８ｂに当接して、絶縁ブロック８ｂが第２信号コンタクト８ｓ及び第２グラウンドコンタクト８ｇを傾倒させている。これにより、第２信号コンタクト８ｓ及び第２グラウンドコンタクト８ｇが第１カードＣ１の底面Ｂｆに接触することなく、第２信号コンタクト８ｓ及び第２グラウンドコンタクト８ｇの損傷を防止できる。なお、第１カードＣ１を第２ハウジング５の凹部５１に挿入した状態では、第１接続端子１ｃｔは、第３コンタクト７に接触している（図２９（Ｂ）参照）。
【０１２６】
図３０（Ａ）を参照して、第２カードＣ２を第２ハウジング５の凹部５１に挿入すると、第２溝部Ｄ２の段差が絶縁ブロック８ｂに向かって進行する。図３０（Ｂ）を参照すると、第２カードＣ２を第２ハウジング５の凹部５１に挿入した状態では、絶縁ブロック８ｂは、第２溝部Ｄ２の底面に当接することなく通過できる。そして、絶縁ブロック８ｂが第２信号コンタクト８ｓ及び第２グラウンドコンタクト８ｇを傾倒させることなく、第２信号コンタクト８ｓ及び第２グラウンドコンタクト８ｇを第２接続端子２ｃｔに接触できる。又、第２カードＣ２を第２ハウジング５の凹部５１に挿入した状態では、第１接続端子１ｃｔは、第３コンタクト７に接触している（図３０（Ｂ）参照）。
【０１２７】
このように、第２実施形態によるコネクタ２０は、複数の第４コンタクト８を傾倒自在な絶縁ブロック８ｂを第２信号コンタクト８ｓ及び第２グラウンドコンタクト８ｇの中間部に成形し、第１溝部Ｄ１を端部に有する第１カードＣ１を第２ハウジング５の凹部５１に挿入すると、第１溝部Ｄ１の段差が絶縁ブロック８ｂに当接して複数の第４コンタクト８を傾倒させて、第４コンタクト８が第１カードＣ１に接触することを困難とするので、第４コンタクト８を損傷させる心配を無くすことができる。
【０１２８】
又、第２実施形態によるコネクタ２０は、絶縁バー４ｂを支持する一対の板ばね４ａ・４ａを不要としているので、構成が簡易になるという、第１実施形態によるコネクタ１０と異なる効果がある。又、第２実施形態によるコネクタ２０は、一対の板ばね４ａ・４ａを第１信号コンタクト４ｓ・４ｓに向かって折り曲げる工程を不要にするという、第１実施形態によるコネクタ１０と異なる効果がある。
【０１２９】
更に、第２実施形態によるコネクタ２０は、第２信号コンタクト８ｓ及び第２グラウンドコンタクト８ｇの中間部に絶縁ブロック８ｂを個別に成形していることで、第１カードＣ１の極間壁が破損している場合でも（図９参照）、絶縁ブロック８ｂが極間壁の間を通過できるので（図２９参照）、２信号コンタクト８ｓ及び第２グラウンドコンタクト８ｇの変形を防止できるという、第１実施形態によるコネクタ１０と異なる効果がある。
【０１３０】
本発明は、外形寸法及び厚さは同じであるが、接続端子の配列が一部異なる二種類のカードを共用できるカード用コネクタであって、コンタクトを保護するカード用コネクタを開示したが、本発明の技術的思想を応用すれば、カード用コネクタ以外のコンタクトを保護することもできる。
【符号の説明】
【０１３１】
１  第１ハウジング
１ｃｔ  第１接続端子
２  第１カバー板
２ｃｔ  第２接続端子
２ｇｔ  グラウンド端子
２ｓｔ  信号端子
３  第１コンタクト
４  第２コンタクト
４ａ  板ばね
４ｂ  絶縁バー
４ｇ  第１グラウンドコンタクト
４ｓ・４ｓ  対をなす第１信号コンタクト
１０  コネクタ（カード用コネクタ）
１１  凹部
Ｃ１  第１カード
Ｃ２  第２カード
Ｄ１  第１溝部
Ｄ２  第２溝部
【図１】
2016115663.tif 000003
【図２】
2016115663.tif 000004
【図３】
2016115663.tif 000005
【図４】
2016115663.tif 000006
【図５】
2016115663.tif 000007
【図６】
2016115663.tif 000008
【図７】
2016115663.tif 000009
【図８】
2016115663.tif 000010
【図９】
2016115663.tif 000011
【図１０】
2016115663.tif 000012
【図１１】
2016115663.tif 000013
【図１２】
2016115663.tif 000014
【図１３】
2016115663.tif 000015
【図１４】
2016115663.tif 000016
【図１５】
2016115663.tif 000017
【図１６】
2016115663.tif 000018
【図１７】
2016115663.tif 000019
【図１８】
2016115663.tif 000020
【図１９】
2016115663.tif 000021
【図２０】
2016115663.tif 000022
【図２１】
2016115663.tif 000023
【図２２】
2016115663.tif 000024
【図２３】
2016115663.tif 000025
【図２４】
2016115663.tif 000026
【図２５】
2016115663.tif 000027
【図２６】
2016115663.tif 000028
【図２７】
2016115663.tif 000029
【図２８】
2016115663.tif 000030
【図２９】
2016115663.tif 000031
【図３０】
2016115663.tif 000032
【図３１】
2016115663.tif 000033
【図３２】
2016115663.tif 000034
【図３３】
2016115663.tif 000035
【図３４】
2016115663.tif 000036